(57)【要約】      （修正有）【課題】時間や手間がかからずまた高度な技能を要することなく再生する、着物を裁断してなる前合わせ巻きスカートを提供する。【解決手段】袖付けから下どうしを結ぶ直線で着物を裁断してなる下布部を基布とし、基布の上端に取り付ける基布より長いウエスト布を備え、ウエスト布はその長さ方向に伸縮可能に形成される。【選択図】図４
0003226952.tif 000002
【実用新案登録請求の範囲】
【請求項１】
着物の袖付けから下どうしを結ぶ直線で裁断してなる下布部を基布とし、基布の上端に取り付ける前記基布より長いウエスト布を備え、ウエスト布はその長さ方向に伸縮可能に形成されることを特徴とする、これを着用の際にウエストで前合わせ、ひと回り半まわし右横で止める方法は、基布から先なる延長布の二重め最終布端を一重めウエスト布の下に、二回ぐるぐると巻き込み潜らせることにより締めて止める前合わせ巻きスカート
【考案の詳細な説明】
【技術分野】
【０００１】  着物を裁断してなる下布部の上端に裁断直線部より長いウエスト布を備える前合わせ巻きスカートに再生する
【背景技術】
【０００２】  殆んど着用の機会が少なくなった着物の再生には、時間や手間がかかり、ときには高度な技能を要する場合が見受けられる、これら再生方法の煩雑さから再生することを躊躇している【０００３】  また、冠婚葬祭・入学式等の簡素化に伴い着物の着用は減少し持ち主から代々受け継がれても保存のまま着用されない状態である【０００４】  そのため着用機会の少なくなった着物の再生を試み、ドレス等に仕立て直しを他者に依頼するも、時として高額であるため諦めて箪笥にしまい込んだままの状態が多く見受けられる【０００５】  一方着物は先人達により生活・文化を担って発展の歴史を持ち、様々な古典柄・縞柄等がありまた多くの色彩を持つ装飾性の高い素材である面を、まだまだ活かしきれていない【０００６】  この様な問題に即し着用の機会の少なくなった着物をガウン等の室内着や二部式着物等に再生する手段が提案されている
【先行技術文献】
【特許文献】
【０００７】
【特許文献１】実用新案登録３１２０４３７
【非特許文献】
【０００８】
【非特許文献１】特開２０１９−１８３３５７
【考案の概要】
【考案が解決しようとする課題】
【０００９】  前記先行技術によればガウンへの再生や二部式着物等への仕立て直しには、時間や手間がかかり、ときには高度な技能を要する等の煩雑さから再生を容易に行えない課題がある
【課題を解決するための手段】
【００１０】  そこで本考案は前記問題点を解決するため、着物の袖付けから下どうしを結ぶ直線で裁断してなる下布部を基布とし、基布の上端に取り付ける前記直線部より長いウエスト布を備え、ウエスト布はその長さ方向に伸縮可能に形成されることを特徴とする、このことから時間や手間がかからずまた高度な技能を要することなく再生する、着物を裁断してなる前合わせ巻きスカートを提供する
【考案の効果】
【００１１】  着物再生に時間や手間がかからずまた高度な技能を要することなく着物を裁断してなる前合わせ巻きスカートへ再生は容易になる、また他者に依頼する事なく再生の機会を増す効果がある【００１２】  また本考案はボタンやファスナーがなく前合わせて巻きつけるだけの動作で容易に着用は出来、また着物は装飾性の高い布地として活かされ身近にて楽しむこととなり、外出頻度が増える効果をもたらす【００１３】  同様に前記動作のためウエスト寸法は範囲に大きな制限はなく持ち主のウエスト寸法伸び幅を自由に加減出来る利点を持つこととなる【００１４】  また考案の効果［００１２］・［００１３］からなる着脱動作の利点は、浴衣や木綿生地着物で仕立て直しすれば、介護用品へ応用出来本人及び介護者に着脱困難を軽減する効果を持つ
【図面の簡単な説明】
【００１５】
【図１】（ａ）前身頃の裁断位置を示す  （ｂ）後身頃の裁断位置を示す
【図２】基布に取り付けるウエスト布（  延長部を含む  ）
【図３】基布（  着物裁断後の下布部  ）
【図４】ウエスト布を基布に取り付けた本考案正面図
【図５】参考図（  本考案に係る行程を示す図使用例  ）  （Ａ）基布  （Ｂ）基布にウエスト布を取り付けたことを示す後正面  （Ｃ）ウエスト布をひと回り、巻きつけたことを示す後正面  （Ｄ）ウエスト布をひと回り半、巻きつけたことを示す後正面
【考案を実施するための形態】
【００１６】  着物の袖付から下の部分からなる布部であり、裁断直線部より長いウエスト布を備えウエストで前合わせて巻きつけるスカートとして再生なるもの
【実施例】
【００１７】  本考案の着物を裁断してなる前合わせ巻きスカートは、再生方法として着物の前身頃、後身頃袖付から下どうしを結ぶ直線で裁断する、この裁断の下布部を基布とする【００１８】  前記基布の上端に別布を、基布の直線部より長いウエスト布として備え、基布の直線部及び左前スカート上端の先に延長する適宜長さを縫い付けることで、容易に前合わせ巻きスカートに再生する【００１９】  前記適宜長さとはウエスト布を基布に縫い付け、そのまま先に延長布としての寸法であり幅６ｃｍ〜８ｃｍ長さは基布の６０ｃｍ〜８０ｃｍ程長い寸法とする【００２０】  裁断位置は身長や好みのスカート丈を求め、着物の裾から７０ｃｍ〜９０ｃｍ上方向をおよその平均位置とする、裁断の後襟先を解いて上端は直線になる様整える【００２１】  別布ウエスト布はその長さ方向に伸縮可能に形成されることを特徴とする、いわゆるニット生地と称する布であり伸縮ゆえに胴回りに沿わせやすい布である【００２２】  本考案の着用方法は着物の裾を着付ける仕草で、スカート右前の上に左前を重ね次に前記の基布から先延長のウエスト布を右手に持ち、引っ張る要領で、ウエスト回りに左前から後をまわし再び前ウエスト右横まで、ひと回り半まわして、着物を裁断してなる前合わせ巻きスカートとして着用する【００２３】  前記ウエスト布を右横で止める方法は、ひと回り半まわしているので右横は二重になり、一重めのウエスト布の下にウエストから先の延長布の二重め最終部布端を、右手で二回ぐるぐると潜らせながら巻き込み締めて止める、この方法は伸縮可能なニット生地の特性から可能な方法となる【００２４】  ここに前記ウエスト布の伸びる長さは、伸縮前の長さ６０ｃｍ〜８０ｃｍから、およそ７０ｃｍ〜９０ｃｍ程になることを一例とする
【産業上の利用可能性】  ［００２５］前記考案の効果［００１４］により、綿素材の再生品は介護施設等で入浴あがりバスタオルを兼ねる介護用品として産業上利用の可能性を持つ
【符号の説明】
【００２６】  １（ａ）  前身頃の裁断位置（  長いスカート丈  ）  １（ｂ）  前身頃の裁断位置（  短いスカート丈  ）  ２（ａ）  後身頃の裁断位置（  長いスカート丈  ）  ２（ｂ）  後身頃の裁断位置（  短いスカート丈  ）  ３（ａ）  前後のスカート用ウエスト布  ３（ｂ）  基布先の延長用ウエスト布  ４        基布の上端部    （  ウエスト布を取り付ける位置  ）  ５        スカート右前部  ６        スカート後部  ７        スカート左前部
【図１】
0003226952.tif 000003
【図２】
0003226952.tif 000004
【図３】
0003226952.tif 000005
【図４】
0003226952.tif 000006
【図５】
0003226952.tif 000007
【手続補正書】
【提出日】令和2年3月26日(2020.3.26)
【手続補正１】
【補正対象書類名】実用新案登録請求の範囲
【補正対象項目名】全文
【補正方法】変更
【補正の内容】
【実用新案登録請求の範囲】
【請求項１】
着物の袖付けから下どうしを結ぶ直線で裁断してなる下布部を基布として基布の上端に、取り付ける前記基布より長いウエスト布を備え、ウエスト布はその長さ方向に伸縮可能に形成されることを特徴とする着物を裁断してなる前合わせ巻きスカート